(57)【要約】【課題】  収納時の見栄えの向上を図ることができるホースリールを提供する。【解決手段】  ドラム１２の胴部１５内に設けられたホース連結部４１の一端部を、フレーム１１の左側面４２に凹設された凹部４３の挿通穴４４に挿入された状態で固定し、フレーム１１より延出したホース連結部４１の一端部に、Ｌ字状のホース接続部５１を連結して、延出ホース５２を接続する。ホース接続部５１が設けられた凹部４３の上部及び下部に、側方に膨出した巻き付け部６１，６１を形成し、ホース接続部５１に接続された延出ホース５２を、両巻き付け部６１，６１に巻き付けられるように構成する。【選択図】図２
2008156129.tif 000002
【特許請求の範囲】
【請求項１】
フレーム側部よりホースが延出するホースリールにおいて、
前記フレームの側部に、該側部より延出した前記ホースを巻き付ける巻き付け部を設け、
前記ホースが接続されるホース接続部の前記フレームからの最大突出量を、前記フレームからの前記巻き付け部の突出量以下に設定したことを特徴とするホースリール。
【発明の詳細な説明】
【技術分野】
【０００１】
本発明は、ホースを巻き取るホースリールに関する。
【背景技術】
【０００２】
従来、散水用のホースを巻き取る際には、ホースリールが用いられていた。
【０００３】
該ホースリールは、フレームと、該フレームに回動自在に支持されたドラムとによって構成されている。前記フレームの一側面からは、ハンドルが延出しており、該ハンドルによって前記ドラムを回動できるように構成されている。また、前記フレームの他側面からは、ホース接続部が延出しており、該ホース接続部に接続されたホースを蛇口に接続することで、前記ドラムに巻かれたホースに水道水を供給できるように構成されている。
【発明の開示】
【発明が解決しようとする課題】
【０００４】
しかしながら、このようなホースリールにあっては、フレーム側部より延出したホースは巻き取ることができず、収納時の見栄えが悪化するという問題があった。
【０００５】
本発明は、このような従来の課題に鑑みてなされたものであり、収納時の見栄えの向上を図ることができるホースリールを提供することを目的とするものである。
【課題を解決するための手段】
【０００６】
前記課題を解決するために本発明の請求項１のホースリールにあっては、フレーム側部よりホースが延出するホースリールにおいて、前記フレームの側部に、該側部より延出した前記ホースを巻き付ける巻き付け部を設け、前記ホースが接続されるホース接続部の前記フレームからの最大突出量を、前記フレームからの前記巻き付け部の突出量以下に設定した。
【０００７】
すなわち、このホースリールのフレーム側部には、巻き付け部が設けられており、フレーム側部より延出したホースを、この巻き付け部に巻き付けることができる。また、ホースを巻き付け部に巻き付けた状態において、該巻き付け部を壁面に密着的に配置することができる。
【０００８】
なお、前記フレーム側部に、前記ホースが接続されるホース接続部を突設するとともに、該ホース接続部を、前記フレームに沿って屈曲する屈曲形状に形成してもよい。
【０００９】
これにより、ホース接続部に接続されたホースをフレームに沿って延在させることができる。
【００１０】
加えて、前記巻き付け部に、前記フレームに沿って延在する爪部を設け、該爪部と前記フレームとの間に、前記ホースを保持する保持空間を形成してもよい。
【００１１】
すなわち、巻き付け部に巻き付けられたホースを、フレームと爪部間の保持空間に保持することができる。
【発明の効果】
【００１２】
以上説明したように、本発明のホースリールにあっては、フレーム側部より延出したホースを、フレーム側部に設けられた巻き付け部に巻き付けた状態で収納することができる。
【００１３】
したがって、フレーム側部からホースを延出させたまま収納しなければならなかった従来と比較して、収納時の見栄えを向上することができる。また、ホースを巻き付け部に巻き付けた状態において、該巻き付け部を壁面に近接して配置することができる。よって、収納スペースを削減することができる。
【００１４】
また、フレーム側部に設けられたホース接続部を、フレームに沿って屈曲した屈曲形状に形成することで、ホース接続部に接続されたホースをフレームに沿って延在させることができる。
【００１５】
このため、フレーム側部に設けられたホース接続部が真っ直ぐに延出する場合と比較して、ホースを折り曲げること無く、フレームに沿って延在させ巻き付け部に巻き付けることができる。
【００１６】
加えて、巻き付け部に、フレームに沿って延在する爪部を設け、該爪部と前記フレームとの間に保持空間を形成することで、巻き付け部に巻き付けられたホースを保持空間に保持することができる。
【００１７】
これにより、巻き付け部からのホースの不用意な離脱を防止することができる。
【発明を実施するための最良の形態】
【００１８】
以下、本発明の一実施の形態を図に従って説明する。図１は、本実施の形態にかかるホースリール１を示す図であり、該ホースリール１は、ホースを巻き取る際に使用されるものである。
【００１９】
このホースリール１は、矩形箱状のフレーム１１と、該フレーム１１内部に回動自在に収容されるドラム１２とを備えている。該ドラム１２は、左ドラム構成部１３と右ドラム構成部１４とからなり、両構成部１３，１４を連結することで、ホースが巻かれる胴部１５の両端に鍔部１６，１６が形成されるように構成されている。
【００２０】
前記フレーム１１も、左フレーム構成部２１と右フレーム構成部２２とからなり、両フレーム構成部２１，２２を連結した状態で前記ドラム１２を収容する箱形状に形成されるように構成されている。このフレーム１１の前面２３及び後面２４には、図２にも示すように、蒲鉾形状の出入口２５が開口しており、前記ドラム１２に巻かれたホースが、いずれかの出入口２５を挿通するように構成されている。
【００２１】
前記フレーム１１の右側面３１からは、クランク状のハンドル３２が延出しており、該ハンドル３２の軸部３３には、握持部３４が回動自在に取り付けられている。このハンドル３２は、前記フレーム１１の右側面３１の円形穴３５を貫通して前記ドラム１２に固定されており、当該ハンドル３２を回転操作することで、前記ドラム１２を回動して該ドラム１２にホースを巻回できるように構成されている。
【００２２】
前記ドラム１２の胴部１５内には、ホース連結部４１が設けられており、該ホース連結部４１の一端部は、前記フレーム１１の左側面４２に凹設された凹部４３の挿通穴４４に挿入された状態で固定されている。このホース連結部４１の他端部には、図１にも示したように、前記ドラム１２に巻き取られる巻取りホース４５が、抜け止め４６及び固定ナット４７によって固定されており、前記巻取りホース４５内には、折り曲げ防止用のコイルスプリング４８が内嵌されている。
【００２３】
この巻取りホース４５の先端には、図１に示したように、接続プラグ４９が固定されており、水道の蛇口に設けられた図外のソケットに接続できるように構成されている。これにより、前記ドラム１２に巻回された巻取りホース４５を、前記出入口２５から延出するとともに、前記接続プラグ４９を前記ソケットに接続することで、蛇口から水道水が供給されるように構成されている。
【００２４】
前記フレーム１１より延出した前記ホース連結部４１の一端部には、図１及び図２に示すように、脱着式のホース接続部５１が回動自在に取り付けられている。該ホース接続部５１は、Ｌ字状に屈曲された筒状部材からなり、当該ホース接続部５１の先端部は、前記フレーム１１の左側面４２に沿って延在するように構成されている。このホース接続部５１の先端部には、フレーム１１側部より延出する延出ホース５２が、前述同様との接続プラグ５３を介して、着脱自在に接続されるように構成されており、前記延出ホース５２の先端には、散水ノズル５４が設けられ、前記蛇口からの水道水を散水できるように構成されている。
【００２５】
ここで、前記巻取りホース４５に前記接続プラグ４９を設け、前記延出ホース５２に前記散水ノズル５４を設けた場合を例に挙げて説明したが、これに限定されるものでは無く、前記巻取りホース４５に前記散水ノズル５４を設け、前記延出ホース５２に前記接続プラグ４９を設けても良い。
【００２６】
前記ホース接続部５１が設けられた前記凹部４３の上部及び下部には、図２及び図３に示すように、側方に膨出した巻き付け部６１，６１が形成されており、前記ホース接続部５１に接続された前記延出ホース５２を、両巻き付け部６１，６１に巻き付けられるように構成されている。前記フレーム１１の左側面４２からの各巻き付け部６１，６１の突出量６２は、前記フレーム１１の前記左側面４２からの前記ホース接続部５１の突出量６３以上となるように設定されており、前記ホース連結部５１が前記各巻き付け部６１，６１端面６４，６４が構成する仮想平面より突出しないように構成されている。
【００２７】
ここで、前記フレーム１１の左側面４２からの各巻き付け部６１，６１の突出量６２は、前記フレーム１１の前記左側面４２からの前記ホース接続部５１の突出量６３以上となるように設定した場合を例に挙げて説明したが、これに限定されるものでは無く、例えば前記ホース接続部５１の先端部の外周部にフランジ部が形成されている場合、このフランジ部を除いた主要部での突出量６３を、前記フレーム１１の左側面４２からの各巻き付け部６１，６１端面６４までの突出量６２以下とすれば良い。
【００２８】
この巻き付け部６１，６１は、図３に示すように、円弧状に形成されており、その端面６４，６４には、ネジ掛け穴７１，７１が形成されている。これにより、物置などの壁面に予めネジを螺入しておき、このネジ頭部に前記ネジ掛け穴７１，７１に挿入することで、収納時には、当該ホースリール１を掛止できるように構成されている。
【００２９】
前記各巻き付け部６１，６１の側壁からは、図３及び図４に示すように、フレーム１１の前面２３及び後面２４へ向けて延出する爪部８１，・・・が設けられている。各爪部８１，・・・は、前記フレーム１１の前記左側面４２に沿って延在する板状に形成されており、各爪部８１，８１と前記フレーム１１の左側面４２との間には、前記延出ホース５２を保持する保持空間８２，・・・が形成されている。前記各爪部８１，・・・の先端部には、フレーム１１側方へ向けて膨出した円弧状の湾曲部８３，・・・が形成されており、前記散水ノズル５４の握持部を保持できるように構成されている。
【００３０】
前記フレーム１１下部には、側方に突出する脚部９１が下端部に設けられており、フレーム１１起立時の安定性が高められている。これにより、ハンドル３２を回動して巻取りホース４５をドラム１２に巻き取る際に、フレーム１１が不安定となり、巻き取りにくいという課題を解決することができる。
【００３１】
また、前記フレーム１１の左側面４２からの前記脚部９１の突出量は、前記フレーム１１の左側面４２から各巻き付け部６１，６１の端面６４までの突出量６２とほぼ同寸法に設定されており、前記脚部９１と前記巻き付け部６１，６１とを壁面に密接して配置することができるように構成されている。
【００３２】
そして、この脚部９１の中央部は、下方に後退した円弧状９２に形成されており、前記巻き付け部６１，６１に巻き付けられた延出ホース５２との干渉を回避できるように構成されている。前記脚部９１の両端部には、上方に膨出した山部９３，９３が形成されており、各山部９３，９３は、前記爪部８１，８１の真下に設定されている。これにより、前記延出ホース５２に前記接続プラグ４９を設けた場合には、爪部８１に巻かれた延出ホース５２を垂下させ、先端の接続プラグ４９の開口部を前記山部９３に密接することで、当該開口部からの雨水の浸入が防止できるように構成されている。
【００３３】
以上の構成にかかる本実施の形態において、このホースリール１のフレーム１１側部には、巻き付け部６１，６１が設けられており、フレーム１１側部より延出した延出ホース５２を、この巻き付け部６１，６１に巻き付けた状態で収納することができる。
【００３４】
したがって、フレーム側部からホースを延出させたまま収納しなければならなかった従来と比較して、収納時の見栄えを向上することができる。
【００３５】
また、前記フレーム１１側部に設けられたホース接続部５１を、フレーム１１に沿って屈曲した屈曲形状とすることで、ホース接続部５１に接続された延出ホース５２を、フレーム１１に沿って延在させ、両巻き付け部６１，６１間を介して当該巻き付け部６１，６１の外周部に巻き付けることができる。
【００３６】
このため、フレーム１１側部に設けられたホース接続部５１が真っ直ぐに延出する場合と比較して、延出ホース５２を折り曲げること無く、フレーム１１に沿って延在させ巻き付け部６１，６１に巻き付けることができる。
【００３７】
さらに、前記フレーム１１の左側面４２からの各巻き付け部６１，６１の突出量６２は、前記フレーム１１の前記左側面４２からの前記ホース接続部５１の突出量６３以上となるように設定されており、前記ホース連結部５１が前記各巻き付け部６１，６１端面６４，６４が構成する仮想平面面より突出しないように構成されている。このため、延出ホース５２を巻き付け部６１，６１に巻き付けた状態において、該巻き付け部６１，６１を物置等の壁面に密接して配置することができる。よって、収納スペースを削減することができる。
【００３８】
なお、前記フレーム１１の左側面４２からの各巻き付け部６１，６１のフランジ部等を除く主要部の突出量６２を、前記フレーム１１の前記左側面４２からの前記ホース接続部５１の突出量６３以上となるように設定した場合であっても、延出ホース５２を巻き付け部６１，６１に巻き付けた状態において、該巻き付け部６１，６１を物置等の壁面に近接して配置することができ、収納スペースを削減することができる。
【００３９】
そして、前記巻き付け部６１，６１には、前記フレーム１１に沿って延在する爪部８１，・・・が設けられており、各爪部８１，・・・と前記フレーム１１との間には保持空間８２，・・・が形成されている。このため、巻き付け部６１，・・・に巻き付けられた延出ホース５２を各保持空間８２，・・・に保持することができる。
【００４０】
これにより、巻き付け部６１，・・・からの延出ホース５２の不用意な離脱を防止することができる。
【図面の簡単な説明】
【００４１】
【図１】本発明の一実施の形態を示す分解斜視図である。
【図２】同実施の形態の要部の断面図である。
【図３】同実施の形態の左フレーム構成部を示す正面図である。
【図４】同実施の形態の平面を示す一部断面図である。
【符号の説明】
【００４２】
１    ホースリール
１１    フレーム
４５    巻取りホース
５１    ホース接続部
５２    延出ホース
６１    巻き付け部
８１    爪部
８２    保持空間
【図１】
2008156129.tif 000003
【図２】
2008156129.tif 000004
【図３】
2008156129.tif 000005
【図４】
2008156129.tif 000006